(57)【要約】  水相中に分散した油相を含む乳剤であって、油相が、少なくとも５３重量％の１種または複数の有機過酸化物を含み、該有機過酸化物の５０重量％超が、少なくとも７．００５重量％の分子内活性酸素含有率を有し、乳剤が有機過酸化物タイプＦの分類試験を満足させる乳剤。この乳剤は、輸送タンクおよび貯蔵タンクのより大きなベント口、またはより高い設計圧力の必要性なしに、活性酸素含有率が高い有機過酸化物乳剤の安全な輸送および安全な貯蔵を可能にする。【特許請求の範囲】
【請求項１】
水相中に分散した油相を含む乳剤であって、前記油相が、少なくとも５３重量％の１種または複数の有機過酸化物を含み、該有機過酸化物の５０重量％超が、少なくとも７．００重量％の分子内活性酸素含有率を有し、前記乳剤が有機過酸化物タイプＦの分類試験を満足させる乳剤。
【請求項２】
乳剤の活性酸素含有率が、少なくとも２．６０、好ましくは少なくとも３．１０重量％、さらに好ましくは少なくとも３．５重量％である、請求項１に記載の乳剤。
【請求項３】
乳剤の活性酸素含有率が、４．６０重量％以下、好ましくは４．２０重量％以下である、請求項１または請求項２に記載の乳剤。
【請求項４】
油相が、１種または複数の有機過酸化物を少なくとも５５重量％、好ましくは少なくとも６０重量％、最も好ましくは少なくとも６８重量％含む、前記請求項のいずれか一項に記載の乳剤。
【請求項５】
油相中に存在する１種または複数の有機過酸化物の５０重量％超が、少なくとも８．００重量％、好ましくは少なくとも９．００重量％の分子内活性酸素含有率を有する、前記請求項のいずれか一項に記載の乳剤。
【請求項６】
有機過酸化物が、ジイソブチリルペロキシドである、請求項５に記載の乳剤。
【請求項７】
水相が、少なくとも５０重量％の水を含む、前記請求項のいずれか一項に記載の乳剤。
【請求項８】
水相が、１種または複数の不凍剤を含む、前記請求項のいずれか一項に記載の乳剤。
【請求項９】
重合反応における、前記請求項のいずれか一項に記載の過酸化物乳剤の使用。
【請求項１０】
重合反応が、塩化ビニルモノマーの重合である、請求項９に記載の使用。
【請求項１１】
重合反応器に前記請求項のいずれか一項に記載の乳剤を重合温度で連続的および／または断続的に添加するステップを含む、１種または複数のエチレン性不飽和モノマーを懸濁重合する方法。
【請求項１２】
エチレン性不飽和モノマーの少なくとも１種が塩化ビニルモノマーである、請求項１１に記載の方法。
【発明の詳細な説明】
【技術分野】
【０００１】
本発明は、１種または複数の有機過酸化物を含む貯蔵に安定で安全な乳剤に関し、乳剤は高い活性酸素含有率を有する。本発明はさらに、重合反応におけるこのような乳剤の使用に関する。
【背景技術】
【０００２】
相対的に高い濃度の有機過酸化物を含有する有機過酸化物の水性乳剤は、従来技術から知られている。このような従来技術文献の例として、ＥＰ  ０  ０３２  ７５７、ＷＯ  ９９／００５１０１、ＵＳ  ３，９８８，２６１およびＷＯ  ２００３／０９５５００がある。
【０００３】
これら文献に例示された乳剤はすべて、相対的に低い、すなわち７．００重量％未満の分子内活性酸素含有率を有する有機過酸化物から専ら成る油相を含有する。これらの文献は、安定した乳剤の調製に適しているとして、高い分子内活性酸素含有率を有する過酸化物を含めて、様々な他の有機過酸化物を提案しているが、そのような乳剤が、実際に調製され、かつ国連規則に従って安全性が確かに試験されたようには思えない。
【０００４】
分子内活性酸素含有率を約７．００重量％以上有する過酸化物を含む乳剤に伴う問題は、熱暴走に伴う危険性の増大である。それゆえに、高い分子内活性酸素含有率を有する過酸化物を含有する乳剤には、一般に、国連輸送分類の要件（UN transport classification requirements）を満たすために鈍感剤が必要である。この鈍感剤の目的は、熱安定性を増大させること、および熱暴走が発生した場合、その影響を低減させることである。典型的な鈍感剤は、イソドデカンおよび無臭ミネラルスピリット（ＯＭＳ）のような本質的に非水溶性の溶剤である。
【０００５】
例えば、９．１８重量％の分子内活性酸素含有率を有するジイソブチリルペルオキシドの現在の市販乳剤は、２６重量％を超える過酸化物を含有していない。油相は、ジイソブチリルペルオキシドの１ｋｇ当たり１ｋｇの量で溶剤であるイソドデカンを含有している。この乳剤は、タイプＦ液体（危険物輸送に関する国連専門家委員会（United Nations Committee of Experts on the Transport of Dangerous Goods）による勧告中に記載の分類原則に従う）として分類され、この液体は、形状寸法に関する一定の要件を条件として、相対的に大きな輸送容器および貯蔵タンク内で貯蔵し、輸送することができることを意味する。これらの要件には、非常用ベント口の直径およびタンク自体の設計圧力が含まれる。特定の過酸化物配合物に対してこれらの要件をぎりぎり満たすタンクを考えるなら、そのタンクは、一般には、同じ過酸化物のより濃厚な配合物の貯蔵および／または輸送に必要な要件を満たさないであろう。その理由は、熱発生およびそのための圧力の影響が、一般的には、タンク内の過酸化物の濃度および量とともに拡大すると見込まれるからである。
【発明の概要】
【発明が解決しようとする課題】
【０００６】
とはいえ、より濃厚な乳剤の使用は、例えば、貯蔵および輸送の経済性を改善するために望ましい。
【課題を解決するための手段】
【０００７】
驚くべきことに、予想に反して、相対的に高い分子内活性酸素含有率を有する有機過酸化物の乳剤について、有機過酸化物によって鈍感剤の一部を置き換えると、乳剤の安全特性を改善できることが、今や見出された。これは、輸送タンクおよび貯蔵タンクのより大きなベント口、またはより高い設計圧力の必要性なしに、活性酸素含有率が高い有機過酸化物乳剤を安全に輸送および貯蔵することを可能にする。
【０００８】
したがって、本発明は、水相中に分散した油相を含む乳剤であって、油相が、少なくとも５３重量％の１種または複数の有機過酸化物を含み、該有機過酸化物の５０重量％超が、少なくとも７．００重量％の分子内活性酸素含有率を有し、乳剤が有機過酸化物タイプＦの分類試験を満足させる乳剤に関する。
【０００９】
油相
本発明による乳剤の油相は、少なくとも５３重量％、好ましくは少なくとも５５重量％、より好ましくは少なくとも６０重量％、最も好ましくは少なくとも６８重量％の１種または複数の有機過酸化物を含み、５０重量％を超える有機過酸化物が少なくとも７．００重量％の分子内活性酸素含有率を有する。油相中の有機過酸化物の含有率は、好ましくは８５重量％以下、最も好ましくは７７重量％以下であり、このことは、油相中の他の成分が好ましくは少なくとも１５重量％、最も好ましくは２３重量％になり得る。他の成分は、好ましくは１重量％未満の分子内活性酸素含有率を有する成分である。好ましい他の成分は鈍感剤、すなわち、危険物の輸送に関する国連勧告を満足させる有機溶剤であり、これは１体積％を超えて水中で溶解しないことが好ましい。適切な鈍感剤の例としては、イソドデカン、無臭ミネラルスピリット（ＯＭＳ）、揮発油タイプの脂肪族溶剤およびＰＶＣ中で可塑剤として使用される溶剤（例えば、アジピン酸ジイソデシルのようなアジピン酸エステル）がある。油相の鈍感剤含有率は、好ましくは少なくとも１５重量％、より好ましくは少なくとも２３重量％である。油相の鈍感剤含有率は、４７％未満、より好ましくは４５％未満、さらにより好ましくは４０％未満、最も好ましくは３２％未満である。
【００１０】
油相中に存在する過半量、すなわち５０重量％を超える有機過酸化物は、少なくとも７．００重量％、好ましくは少なくとも８．００重量％、さらに最も好ましくは９．００重量％の分子内活性酸素含有率を有する。油相中の過半の有機過酸化物（５０重量％を超える）の分子内活性酸素含有率は、好ましくは１５重量％未満、最も好ましくは１２重量％未満である。
【００１１】
好ましい実施形態では、油相中に存在する６０重量％を超える、より好ましくは７０重量％を超える、さらにより好ましくは８０重量％を超える、さらにより好ましくは９０重量％を超える、最も好ましくは１００重量％の有機過酸化物は、少なくとも７．００重量％の分子内活性酸素含有率を有する。
【００１２】
この分子内活性酸素含有率は、分子の重量を基にした活性酸素原子の重量％（１過酸化物官能基（peroxide functionality）当たり１酸素原子）として定義される。言い換えると、分子内活性酸素含有率は、１６ｐ／Ｍｗとして計算でき、式中、ｐは分子中の過酸化物（−Ｏ−Ｏ−）官能基の数であり、Ｍｗは分子の分子量である。
【００１３】
乳剤の活性酸素含有率は、次に、過酸化物の分子内活性酸素含有率および乳剤中の過酸化物濃度から得られる。
【００１４】
少なくとも７．００重量％の分子内活性酸素（ＡＯ）含有率を有する有機過酸化物の例としては、ジイソブチリルペルオキシド（ＡＯ＝９．１８重量％）、１−（２−エチルヘキサノイルペルオキシ）−１，３−ジメチルブチルペルオキシピバレート（ＡＯ＝８．８８重量％）、ｔｅｒｔ−ブチルペルオキシネオヘプタノエート（ＡＯ＝７．９１重量％）、ｔｅｒｔ−アミルペルオキシピバレート（ＡＯ＝８．５０重量％）、ｔｅｒｔ−ブチルペルオキシピバレート（ＡＯ＝９．１８重量％）、２，５−ジメチル−２，５−ジ（２−エチルヘキサノイルペルオキシ）ヘキサン（ＡＯ＝７．４３）、ｔｅｒｔ−ブチルペルオキシジエチルアセテート（ＡＯ＝８．５０重量％）、ｔｅｒｔ−ブチルペルオキシイソブチレート（ＡＯ＝９．９９重量％）、１，１−ジ−ｔｅｒｔ−ブチルペルオキシ）−３，３，５−トリメチルシクロヘキサン（ＡＯ＝１０．５８重量％）、１，１−ジ（ｔｅｒｔ−ブチルペルオキシ）シクロヘキサン（ＡＯ＝１２．２９重量％）、２，２−ジ（ｔｅｒｔ−ブチルペルオキシ）ブタン（ＡＯ＝１３．６６重量％）、ｔｅｒｔ−ブチルペルオキシイソプロピルカーボネート（ＡＯ＝９．０８重量％）、ジエチルペルオキシジカーボネート（ＡＯ＝８．９８重量％）、ｔｅｒｔ−ブチルペルオキシアセテート（ＡＯ＝１２．１１重量％）、ｔｅｒｔ−ブチルペルオキシベンゾエート（ＡＯ＝８．２４重量％）、ジ−ｔｅｒｔ−アミルペルオキシド（ＡＯ＝９．１８重量％）、２，２−ジメチル−２，５−ジ（ｔｅｒｔ−ブチルペルオキシ）ヘキサン（ＡＯ＝１１．０２重量％）、ｔｅｒｔ−ブチルクミルペルオキシド（ＡＯ＝７．６８重量％）、および２，２−ジメチル−２，５−ジ（ｔｅｒｔ−ブチルペルオキシ）ヘキシン−３（ＡＯ＝１１．１７重量％）がある。
【００１５】
有機過酸化物の水溶解度は、＋５℃で１体積％未満であることが好ましい。有機過酸化物は、好ましくは、０℃で液体である。有機過酸化物は、好ましくは、モノクロロベンゼン中の半減期が７０℃で１時間未満である。
【００１６】
油相中に存在する好ましい有機過酸化物は、ジイソブチリルペルオキシドである。より好ましくは、この過酸化物は、本発明の乳剤中に存在する有機過酸化物の全量の５０重量％超、より好ましくは少なくとも７５重量％、さらにより好ましくは少なくとも９０重量％、および最も好ましくは少なくとも９５重量％を構成する。
【００１７】
水相
水相は、好ましくは、少なくとも５０重量％の水を含む。
【００１８】
水相中に存在してもよい他の成分は、乳剤を安定させ、乳剤が凍結するのを防止する通常の添加物である。水相は、−１０℃、より好ましくは−２０℃、最も好ましくは−２５℃を超える温度で凍結しないことが好ましい。
【００１９】
このような他の成分の例としては、保護コロイド、界面活性剤、不凍剤および増粘剤がある。
【００２０】
適切な保護コロイドの例としては、セルロースおよび部分加水分解ポリビニルアセテートがある。部分加水分解ポリビニルアセテート（ＰＶＡ）は、水相中に存在するのに好ましい保護コロイドである。好ましくは、ＰＶＡの加水分解度は、少なくとも４５％、より好ましくは少なくとも４８％、最も好ましくは少なくとも５０％、および好ましくは多くて８０％、より好ましくは多くて７０％である。ＰＶＡは、濃淡のむらがある加水分解ではなく、ランダムに加水分解されていることが好ましい。
【００２１】
１種類だけのＰＶＡを使用する代わりに、２つ以上のＰＶＡのブレンドを使用することもできる。この場合、ブレンドは１つだけのＰＶＡとして見なすことができ、このブレンドの加水分解度は、ＰＶＡの加水分解度の重量平均である。ＰＶＡのこのようなブレンドは、加水分解度が４５％より低いまたは８０％より高いＰＶＡを、０．２％を超えて含まないことが好ましい。
【００２２】
本発明による乳剤中に使用されたＰＶＡの量は、使用した過酸化物および界面活性剤の濃度およびタイプ、ならびに最終乳剤の所望の粘度に左右されよう。典型的には、最終乳剤中のＰＶＡの量は、少なくとも０．０１重量％、好ましくは少なくとも０．１重量％、最も好ましくは少なくとも０．５重量％、および多くても５％重量％、より好ましくは多くても３．０重量％、さらにより好ましくは多くても２．５重量％、より好ましくは多くても２．０重量％、最も好ましくは多くても１．５重量％となろう。
【００２３】
界面活性剤は、水相と油相との間の界面張力に影響を及ぼす界面活性化学物質である。このような化合物は、「乳化剤」としても知られている。本発明による乳剤は、ＨＬＢ値が１５以上の界面活性剤を含有することが好ましい。より好ましくは、ＨＬＢ値が少なくとも１６の界面活性剤であり、最も好ましくは、ＨＬＢ値が少なくとも１７の界面活性剤である。所望であれば、界面活性剤の混合物を使用してもよい。ＨＬＢ値は、「The Atlas HLB-System, a time saving guide to emulsifier selection」、Atlas Chemical Industries Inc．刊、1963年の中で説明されるように親水親油バランスを表す。
【００２４】
水相中で使用できる界面活性剤の例としては、アルキレンオキシドブロック共重合体、エトキシ化脂肪アルコールおよびエトキシ化脂肪酸がある。好ましい界面活性剤は、ＨＬＢ値が１５より大きいエトキシ化脂肪アルコールおよびエトキシ化脂肪酸である。最も好ましくは、そのようなエトキシ化脂肪アルコールである。適切なエトキシ化脂肪アルコールの例として、例えばエトキシ化度が２３であり、ＨＬＢ値が１６．９であり、ＩＣＩからＢｒｉｊ（登録商標）３５として入手できるエトキシ化ラウリルアルコール（ethoxylated lauryl alcohol）、Ｒｅｍｃｏｐａｌ（登録商標）２０のようなエトキシ化ドデシルアルコール、エトキシ化ミリスチルアルコール、エトキシ化セチルアルコール、エトキシ化オレイルアルコール、パルミチン酸アルコール（palmitic alcohol）とオレイルアルコールとの混合物のエトキシ化製品であるＥｔｈｙｌａｎ（登録商標）ＣＯ３５のようなアルコールのエトキシ化混合物、ヤシ油、パルミチン酸および／または獣脂に由来するエトキシ化アルコール、ならびに例えばエトキシ化度が８０であり、ＨＬＢ値が１８．５であり、Ａｋｚｏ  ＮｏｂｅｌからＢｅｒｏｌ（登録商標）０８として入手できるエトキシ化ステアリルアルコールが挙げられる。
【００２５】
界面活性剤の量は、１．０重量％未満であることが好ましい。
【００２６】
適切な不凍剤は、メタノール、エタノール、プロパノール、イソプロパノール、グリコール、プロパンジオールおよびグリセロールであり、この理由は、このような化合物は、過酸化物乳剤が使用される重合プロセスにほとんど影響を与えないと見込まれることが知られているためである。不凍剤としてメタノールを使用することが最も好ましい。２つ以上の不凍剤の組合せも、本発明による乳剤において使用できる。例えば、水とメタノールとの混合物に相対的に少量のエチレングリコールを加えると、混合物全体の同じ温度における引火性が低下することになるので、引火性に正の影響が及ぼされよう。
【００２７】
不凍剤の量は、好ましくは、乳剤が−１０℃の温度で凍結しないように選ばれる。乳剤は−１５℃の温度で凍結しないことがより好ましく、乳剤が−２０℃の温度で凍結しないことが最も好ましい。
【００２８】
増粘剤は、組成物の粘度を管理するために、好ましくは（乳剤の重量に基づいて）２重量％を超えない、好ましくは１重量％未満、最も好ましくは０．３重量％未満の濃度で存在することができる。配合物中で有用な増粘剤の非限定的例としては、キサンタンガム、アラビアゴムおよびアルギネート（alginate）がある。しかしながら、増粘剤は、乳剤から除外されることが好ましい。
【００２９】
１種または複数の有機酸化物は、少量、好ましくは２重量％未満、より好ましくは１重量％未満で水相中に存在することができる。
【００３０】
水相中に存在してもよい他の添加物としては、酸化カルシウムまたはリン酸緩衝液などのｐＨ調製剤、金属イオン封鎖剤、およびもし所望なら殺生物剤、例えば殺真菌剤がある。これらの添加物の濃度は、所望の効果および乳剤中の他の成分に左右されよう。
【００３１】
乳剤
本発明による乳剤は、水中油型乳剤である。これは、このような乳剤を調製する任意の従来方法で調製できる。
【００３２】
乳剤は、油相を好ましくは３５〜７５体積％、より好ましくは４５〜７０体積％、および最も好ましくは５０〜６５体積％含有し、１００体積％までの残余は水相である。
【００３３】
乳剤の活性酸素含有率は、少なくとも２．６０重量％であることが好ましく、より好ましくは少なくとも３．１０重量％、最も好ましくは少なくとも３．５０重量％である。乳剤の活性酸素含有率は、４．６０重量％未満が好ましく、最も好ましくは４．２０重量％未満である。
【００３４】
本発明による乳剤の自己促進分解温度（Self-Accelerating Decomposition Temperature）（ＳＡＤＴ）は、５０ｋｇの包装サイズについて好ましくは＋２０℃未満、より好ましくは＋１０℃未満、および最も好ましくは＋５℃未満である。ＳＡＤＴは、包装された物質について自己促進分解が発生し得る最も低い温度であり、ＵＮ試験Ｈ．４に従って測定される。
【００３５】
乳剤は、危険物の輸送に関する国連勧告のPart II、Division 5．2、試験および判定基準の手引き（改訂第４版）の「有機過酸化物タイプＦ」の分類試験を満足し、その結果、分類ＵＮ  ３１０９および／またはＵＮ  ３１１９にならなければならない。
【００３６】
乳剤の用途
本発明による乳剤は、例を挙げるとエチレン性不飽和モノマー、例えば塩化ビニルモノマーの重合反応におけて使用される。
【００３７】
特に、それは、１種または複数のエチレン性不飽和モノマー、例えば塩化ビニルモノマーを懸濁重合する方法における使用に非常に適切であり、この方法は、重合反応器に本願請求項のいずれか一項に記載の乳剤を重合温度で連続的および／または断続的に添加するステップを伴う。このような方法は、ＷＯ  ２０００／０１７２４５、ＷＯ  ２００３／０５４０４０、ＷＯ  ２００３／０８７１６８、ＷＯ  ２００３／０５４０３９、ＷＯ  ２００４／０９６８７１、ＷＯ  ２００４／１１３３９２、およびＷＯ  ２００５／０００９１６に記載されている。
【実施例】
【００３８】
乳剤の調製
以下の実施例では、水相に油相を加えて、乳化にＵｌｔｒａ  Ｔｕｒｒａｘを使用して乳剤を調製した。温度を−１０°〜０℃の間に保つためにクーリングシェルを使用した。この温度範囲内に維持する必要がある場合は、Ｕｌｔｒａ  Ｔｕｒｒａｘによる作用を一時的に中断した。
【００３９】
以下の実施例における水相は、ＰＶＡおよび他の分散剤を水／メタノールの混合物に加えた後、１時間の撹拌時間を与えながら、各成分を室温で実験室用撹拌機つきのガラスビーカー内で混合することにより調製した。
【実施例１】
【００４０】
乳剤を上記の手順に従って調製した。油相および水相は次の組成を有していた。
油相
・イソドデカン中に７２重量％のジイソブチリルペルオキシド
水相
・ＰＶＡ：酸性条件下で６２〜６８％加水分解（濃淡まだらな加水分解）、最終乳剤の１．１重量％
・エトキシ化ステアリルアルコール（ＨＬＢ＝１８．５）：最終乳剤の０．３重量％
・メタノール／水の混合物（重量比：３２／６８）：水相が１００重量％になるまでの量
【００４１】
最終乳剤の過酸化物含有率は、４０重量％であり、最終乳剤の活性酸素含有率は、３．６７重量％であった。
【００４２】
乳剤の安定性は、光散乱（Ｍａｌｖｅｒｎ（登録商標）Ｅａｓｙ  Ｓｉｚｅｒ）を使用して、液滴直径を経時的に測定することで決定した。乳剤は非常に安定であることが判明した。分散相体積の９９％は、十分に１０ミクロン未満であり、−２５℃〜−２０℃の間で貯蔵すると、少なくとも３カ月間はその状態のままであった。
【００４３】
３５℃（過酸化物が相対的に早く分解する）に保持して、１５０ｍｌの乳剤を用いた分離試験では、生成物は、液体の高さが３６％の透明な上層と、液体の高さが６４％の白い（乳剤の）下層に分離した。上層の活性酸素濃度は１重量％未満であった。
【００４４】
過酸化物含有の油相は、水相の中で分散したままであったので、過酸化物は、水相の極めて近くで分解するであろう。したがって、分解熱は、水相を熱し、蒸発させるために最初使用されよう。そのため、温度は、水相の沸点を超えることはなく、非常に適度なままとなろう。これにより、危険な結果を伴う熱爆発に発展することのない暴走が保証されよう。言い換えれば、乳剤は、こうした暴走状件下でも、相対的に安定したままである。
【００４５】
非撹拌状件下でこの乳剤１０ｋｇを用いた、大型貯蔵タンクの火炎包囲をシミュレーションする大規模暴走試験によって、暴走挙動が安全であることを確認した。この試験は、乳剤８．６７５ｋｇを用いて、ベントサイズが直径１３ｍｍの９．６４リットルの容器内で実施した。ベント口には、１バーグ（barg）破裂板（全体が（whole）１ｍｍのアルミニウムディスク）が備えられていた。適用した加熱速度は０．５℃／分であった。暴走中にディスクは１．１バールで破裂し、二次的な圧力効果はなかった。
【実施例２】
【００４６】
ランダムに加水分解したＰＶＡを使用した以外、実施例１を繰り返した。得られた乳剤は非常に安定しており、分散相体積の９９％は、十分に１０ミクロン未満であり、−２５℃〜−２０℃の間で保存すると、少なくとも３カ月間はその状態のままであった。
【００４７】
３５℃に保持して、１５０ｍｌの乳剤を用いた分離試験では、分離は発生せず、高くした温度で８時間後でも発生しなかった。乳剤は、こうした暴走状件下でも完全に安定したままであると結論付けることができる。
【００４８】
実施例１に記載したような大規模暴走試験によって、二次的な圧力効果のない安全な暴走挙動が確認された。
【００４９】
比較例Ａ
油相が４８重量％のジイソブチリルペルオキシドを含有したこと以外、実施例２を繰り返した結果、最終乳剤中の過酸化物濃度が２６重量％となり、最終乳剤の活性酸素含有率が２．３９重量％となった。
得られた乳剤は非常に安定しており、分散相体積の９９％は、十分に１０ミクロン未満であった。
【００５０】
実施例１に記載した通りであるが、異なるベントサイズ（破裂板のサイズ）を用いて実施した大規模暴走試験の結果、ディスクの破裂後に二次的な圧力効果が発生した。異なる２つの実験で使用したディスクは、９および１４ｍｍであり、二次的な圧力効果は、９ｍｍディスクでは１２．９バールおよび１４ｍｍディスクでは４．１バールもの高さになった。同じＡ／Ｖ（ベント口とタンクサイズとの比）を有する貯蔵タンクは、４．１バールの二次的な圧力効果に耐えるように設計することはできるが、この実施例の乳剤が、貯蔵タンクに対してより高い要件を求めることは、明らかである。
【国際調査報告】
2013501116.tif 000002
2013501116.tif 000003
2013501116.tif 000004